(57)【要約】【課題】定着部における温度リップルの発生を容易に抑止できる画像形成装置を提供する。【解決手段】画像形成装置１は、画像形成部７０、定着部８０、検出部８５、ＰＩＤ制御部１１、算出部１３および更新部１４を有する。画像形成部７０は、用紙に画像を形成する。定着部８０は、加熱部材８３１を有し、用紙を加熱して用紙に画像を定着させる。検出部８５は、定着部８０における温度を検出する。ＰＩＤ制御部１１は、検出温度および目標温度の偏差に応じた加熱部材８３１の点灯率のＰＩＤ制御であって、比例項または積分項を少なくとも含んだ上で、自装置の動作条件に対応する値の定数項Ａをさらに含む式に応じた制御を行う。算出部１３は、動作条件に応じた動作の終了時において、当該動作の実行中における加熱部材８３１の平均点灯率を算出する。更新部１４は、算出された平均点灯率の値によって、当該動作条件に対応する定数項Ａの値を更新する。【選択図】図５
2020181001.tif 000002
【特許請求の範囲】
【請求項１】
用紙に画像を形成する画像形成部と、
加熱部材を有し、前記画像形成部によって前記画像が形成された前記用紙を加熱して、前記用紙に前記画像を定着させる定着部と、
前記定着部における温度を検出する検出部と、
前記検出部の検出温度、および目標温度の偏差に応じた前記加熱部材の点灯率のＰＩＤ制御であって、比例項または積分項を少なくとも含んだ上で、自装置の動作条件に対応する値の定数項をさらに含む式に応じた制御を行うＰＩＤ制御部と、
前記動作条件に応じた動作の終了時において、当該動作の実行中における前記加熱部材の平均点灯率を算出する算出部と、
前記算出部によって算出された前記平均点灯率の値によって、前記動作条件に対応する前記定数項の値を更新する更新部と、
を有する、画像形成装置。
【請求項２】
前記ＰＩＤ制御部は、前記式に前記積分項が含まれる場合、前記動作条件に応じた動作の開始時において、前記積分項における前記偏差の累積値をリセットする、請求項１に記載の画像形成装置。
【請求項３】
前記動作条件は、前記用紙の紙種および坪量に関する条件を含む、請求項１または２に記載の画像形成装置。
【請求項４】
前記動作条件および前記定数項の値を対応付けるテーブルを記憶する記憶部をさらに有し、
前記ＰＩＤ制御部は、前記動作条件に応じた動作の開始時において、前記テーブルを参照し、前記動作条件に対応する前記定数項の値を取得して、取得した値の前記定数項を含む前記式に応じた制御を行い、
前記更新部は、前記動作条件に応じた動作の終了時において、前記算出部によって算出された前記平均点灯率の値によって、前記テーブルに含まれる前記定数項の値を更新する、請求項１〜３のいずれかに記載の画像形成装置。
【請求項５】
前記算出部は、前記検出温度の変動幅が第１の閾値以下である期間における前記点灯率に基づいて、前記平均点灯率を算出する、請求項１〜４のいずれかに記載の画像形成装置。
【請求項６】
前記算出部は、前記点灯率の変動幅が第２の閾値以下である期間における前記点灯率に基づいて、前記平均点灯率を算出する、請求項１〜４のいずれかに記載の画像形成装置。
【請求項７】
前記平均点灯率が所定の範囲内に含まれるか否かを判断する判断部をさらに有し、
前記更新部は、
前記判断部によって前記平均点灯率が前記所定の範囲内に含まれると判断された場合、前記定数項の値を更新し、
前記判断部によって前記平均点灯率が前記所定の範囲内に含まれないと判断された場合、前記定数項の値を更新しない、請求項１〜６のいずれかに記載の画像形成装置。
【請求項８】
前記ＰＩＤ制御部は、自装置の環境条件および前記定着部のウォームアップ条件に基づいて補正された値の前記定数項を含む前記式に応じた制御を行う、請求項１〜７のいずれかに記載の画像形成装置。
【請求項９】
用紙に画像を形成する画像形成部と、加熱部材を有し、前記画像形成部によって前記画像が形成された前記用紙を加熱して、前記用紙に前記画像を定着させる定着部と、前記定着部における温度を検出する検出部と、を有する画像形成装置の制御プログラムであって、
前記検出部の検出温度、および目標温度の偏差に応じた前記加熱部材の点灯率のＰＩＤ制御であって、比例項または積分項を少なくとも含んだ上で、前記画像形成装置の動作条件に対応する値の定数項をさらに含む式に応じた制御を行うＰＩＤ制御ステップと、
前記動作条件に応じた動作の終了時において、当該動作の実行中における前記加熱部材の平均点灯率を算出する算出ステップと、
前記算出ステップにおいて算出された前記平均点灯率の値によって、前記動作条件に対応する前記定数項の値を更新する更新ステップと、
を含む処理をコンピューターに実行させるための制御プログラム。
【発明の詳細な説明】
【技術分野】
【０００１】
本発明は、画像形成装置、および画像形成装置の制御プログラムに関する。
【背景技術】
【０００２】
画像形成装置において、定着部が備えるヒーターの点灯率のＰＩＤ制御を行い、定着温度のリップルの発生を抑止する技術が知られている。例えば特許文献１には、ウォームアップ中、印刷中および待機中等の動作モード毎に、ＰＩＤ制御のパラメーターであるＰＩＤ係数が変更され、温度リップルの発生を抑止する技術が開示されている。
【先行技術文献】
【特許文献】
【０００３】
【特許文献１】特開２００７−２４１１５５号公報
【発明の概要】
【発明が解決しようとする課題】
【０００４】
しかし、特許文献１では、印刷中には一種類のＰＩＤ係数しか用いられず、例えば印刷中における用紙の種類の切り替え時や、用紙間での画像の安定化処理の実行時等における温度リップルの発生が、十分に抑止されないという問題がある。また、比例項、積分項および微分項にそれぞれ含まれる３つのＰＩＤ係数を制御しなければならず、特に処理が複雑化する虞もある。
【０００５】
本発明は、上述した課題に鑑みてなされたものである。したがって、本発明の目的は、定着部における温度リップルの発生を容易に抑止できる画像形成装置、および画像形成装置の制御プログラムを提供することである。
【課題を解決するための手段】
【０００６】
本発明の上記の目的は、下記の手段によって達成される。
【０００７】
（１）用紙に画像を形成する画像形成部と、加熱部材を有し、前記画像形成部によって前記画像が形成された前記用紙を加熱して、前記用紙に前記画像を定着させる定着部と、前記定着部における温度を検出する検出部と、前記検出部の検出温度、および目標温度の偏差に応じた前記加熱部材の点灯率のＰＩＤ制御であって、比例項または積分項を少なくとも含んだ上で、自装置の動作条件に対応する値の定数項をさらに含む式に応じた制御を行うＰＩＤ制御部と、前記動作条件に応じた動作の終了時において、当該動作の実行中における前記加熱部材の平均点灯率を算出する算出部と、前記算出部によって算出された前記平均点灯率の値によって、前記動作条件に対応する前記定数項の値を更新する更新部と、を有する、画像形成装置。
【０００８】
（２）前記ＰＩＤ制御部は、前記式に前記積分項が含まれる場合、前記動作条件に応じた動作の開始時において、前記積分項における前記偏差の累積値をリセットする、上記（１）に記載の画像形成装置。
【０００９】
（３）前記動作条件は、前記用紙の紙種および坪量に関する条件を含む、上記（１）または（２）に記載の画像形成装置。
【００１０】
（４）前記動作条件および前記定数項の値を対応付けるテーブルを記憶する記憶部をさらに有し、前記ＰＩＤ制御部は、前記動作条件に応じた動作の開始時において、前記テーブルを参照し、前記動作条件に対応する前記定数項の値を取得して、取得した値の前記定数項を含む前記式に応じた制御を行い、前記更新部は、前記動作条件に応じた動作の終了時において、前記算出部によって算出された前記平均点灯率の値によって、前記テーブルに含まれる前記定数項の値を更新する、上記（１）〜（３）のいずれかに記載の画像形成装置。
【００１１】
（５）前記算出部は、前記検出温度の変動幅が第１の閾値以下である期間における前記点灯率に基づいて、前記平均点灯率を算出する、上記（１）〜（４）のいずれかに記載の画像形成装置。
【００１２】
（６）前記算出部は、前記点灯率の変動幅が第２の閾値以下である期間における前記点灯率に基づいて、前記平均点灯率を算出する、上記（１）〜（４）のいずれかに記載の画像形成装置。
【００１３】
（７）前記平均点灯率が所定の範囲内に含まれるか否かを判断する判断部をさらに有し、前記更新部は、前記判断部によって前記平均点灯率が前記所定の範囲内に含まれると判断された場合、前記定数項の値を更新し、前記判断部によって前記平均点灯率が前記所定の範囲内に含まれないと判断された場合、前記定数項の値を更新しない、上記（１）〜（６）のいずれかに記載の画像形成装置。
【００１４】
（８）前記ＰＩＤ制御部は、自装置の環境条件および前記定着部のウォームアップ条件に基づいて補正された値の前記定数項を含む前記式に応じた制御を行う、上記（１）〜（７）のいずれかに記載の画像形成装置。
【００１５】
（９）用紙に画像を形成する画像形成部と、加熱部材を有し、前記画像形成部によって前記画像が形成された前記用紙を加熱して、前記用紙に前記画像を定着させる定着部と、前記定着部における温度を検出する検出部と、を有する画像形成装置の制御プログラムであって、前記検出部の検出温度、および目標温度の偏差に応じた前記加熱部材の点灯率のＰＩＤ制御であって、比例項または積分項を少なくとも含んだ上で、前記画像形成装置の動作条件に対応する値の定数項をさらに含む式に応じた制御を行うＰＩＤ制御ステップと、前記動作条件に応じた動作の終了時において、当該動作の実行中における前記加熱部材の平均点灯率を算出する算出ステップと、前記算出ステップにおいて算出された前記平均点灯率の値によって、前記動作条件に対応する前記定数項の値を更新する更新ステップと、を含む処理をコンピューターに実行させるための制御プログラム。
【発明の効果】
【００１６】
本発明の一実施形態に係る画像形成装置によれば、検出温度および目標温度の偏差に応じた加熱部材の点灯率のＰＩＤ制御であって、比例項または積分項を少なくとも含んだ上で、自装置の動作条件に対応する値の定数項をさらに含む式に応じた制御を行う。そして、画像形成装置は、当該動作条件に応じた動作の実行中における加熱部材の平均点灯率を算出し、加熱部材の平均点灯率の値によって、当該動作条件に対応する定数項の値を更新する。画像形成装置は、加熱部材の平均点灯率の値によって定数項の値を更新するだけで、当該動作の開始直後における加熱部材の点灯率が、当該動作の実行中における加熱部材の平均点灯率に等しくなるように制御できる。これにより、画像形成装置は、当該動作の開始直後から、検出温度および目標温度の偏差が小さくなるように加熱部材の点灯率を制御でき、定着部における温度リップルの発生を容易に抑止できる。
【図面の簡単な説明】
【００１７】
【図１】本発明の一実施形態に係る画像形成装置の概略構成を示す図である。
【図２】定着部の概略構成を示す図である。
【図３】制御部の機能構成を説明するためのブロック図である。
【図４】動作条件および定数項の値を対応付けるテーブルの一例を示す図である。
【図５】画像形成装置の処理の手順の一例を示すフローチャートである。
【図６Ａ】画像形成装置の作用効果を説明するための図である。
【図６Ｂ】画像形成装置の作用効果を説明するための図である。
【図６Ｃ】画像形成装置の作用効果を説明するための図である。
【図６Ｄ】画像形成装置の作用効果を説明するための図である。
【図７】画像形成装置の処理の手順の他の例を示すフローチャートである。
【図８】画像形成装置の処理の手順のさらに他の例を示すフローチャートである。
【発明を実施するための形態】
【００１８】
以下、添付した図面を参照して、本発明の実施形態について説明する。なお、図面の説明において、同一の要素には同一の符号を付し、重複する説明を省略する。また、図面の寸法の比率は、説明の都合上誇張され、実際の比率とは異なる場合がある。
【００１９】
（画像形成装置）
図１は、本発明の一実施形態に係る画像形成装置の概略構成を示す図である。図２は、定着部の概略構成を示す図である。
【００２０】
図１に示すように、画像形成装置１は、制御部１０、記憶部２０、通信部３０、操作パネル４０、給紙部５０、搬送部６０、画像形成部７０および定着部８０を備える。各構成要素は、信号をやり取りするためのバスを介して、相互に接続されている。
【００２１】
制御部１０は、ＣＰＵ（Ｃｅｎｔｒａｌ  Ｐｒｏｃｅｓｓｉｎｇ  Ｕｎｉｔ）を備え、プログラムに従い、上述した各構成要素の制御や各種の演算処理を実行する。制御部１０の機能構成については、図３を参照して後述する。
【００２２】
記憶部２０は、予め各種プログラムや各種データを記憶するＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを記憶するハードディスク等を備える。
【００２３】
通信部３０は、ＬＡＮ（Ｌｏｃａｌ  Ａｒｅａ  Ｎｅｔｗｏｒｋ）等のネットワークを介して、ユーザーのＰＣ（Ｐｅｒｓｏｎａｌ  Ｃｏｍｐｕｔｅｒ）等の他の機器と通信するためのインターフェースを備える。通信部３０は、例えば、ユーザーのＰＣから印刷ジョブを受信する。
【００２４】
操作パネル４０は、タッチパネルやテンキー、スタートボタン、ストップボタン等を備え、表示部として各種情報を表示したり、操作受付部として各種操作を受け付けたりする。
【００２５】
給紙部５０は、印刷に使用される記録材としての用紙を収容する複数の給紙トレイ５１を備え、給紙トレイ５１に収容された用紙を一枚ずつ給紙する。
【００２６】
搬送部６０は、搬送路、搬送路に沿って配置された複数の搬送ローラー、および搬送ローラーを駆動する駆動モーター（図示せず）を備え、給紙部５０によって給紙された用紙を搬送路に沿って搬送する。
【００２７】
画像形成部７０は、電子写真プロセス等の周知の作像プロセスを用いて、搬送部６０によって搬送されてきた用紙に画像を形成する。
【００２８】
定着部８０は、画像形成部７０によって画像が形成され、搬送部６０によって搬送されてきた用紙を加熱および加圧して、用紙に画像を定着させる。定着部８０は、図２に示すように、定着ローラー８１、加圧ローラー８２、加熱ローラー８３、定着ベルト８４および温度センサー８５を備える。
【００２９】
定着ローラー８１は、無端ベルトである定着ベルト８４に内接するように配置される。加圧ローラー８２は、定着ベルト８４を挟んで対向する定着ローラー８１に対して、所定の荷重で圧着するように構成され、定着ローラー８１との間にニップ（以下「定着ニップ」と称する）を形成する。加熱ローラー８３は、加熱部材としてのヒーター８３１を内部に備え、定着ローラー８１から離間して定着ベルト８４に内接するように配置され、定着ベルト８４を加熱する。加熱された定着ベルト８４は、定着部８０まで搬送されてきた用紙と共に定着ニップを通過することによって、用紙を加熱する。検出部としての温度センサー８５は、加熱された定着ベルト８４の温度を検出する。定着部８０では、温度センサー８５によって検出された温度（以下、単に「検出温度」と称する）が目標温度に等しくなるように、ヒーター８３１への電力供給、すなわちヒーター８３１の点灯率（以下「ヒーター点灯率」と称する）が制御される。
【００３０】
定着ローラー８１および加圧ローラー８２は、例えば、芯金の外周にシリコンゴム等のゴムからなる弾性層を有するように構成される。また、ヒーター８３１の例としては、ハロゲンランプや抵抗発熱体、電磁誘導加熱（ＩＨ）方式の加熱手段等が挙げられる。ただし、定着ローラー８１および加圧ローラー８２、ならびにヒーター８３１等の構成は、上述した例に限定されない。例えば、加圧ローラー８２は、金属製の基材の外周にＰＦＡチューブ等の離型層を有するように構成されてもよいし、加熱ローラー８３が備えるヒーター８３１よりも低い温度に設定された他のヒーターを、外部または内部に備えてもよい。
【００３１】
なお、画像形成装置１は、上述した構成要素以外の構成要素を含んでもよいし、上述した構成要素のうちの一部の構成要素を含まなくてもよい。
【００３２】
（制御部）
続いて、制御部１０の機能構成について説明する。図３は、制御部の機能構成を説明するためのブロック図である。図４は、動作条件および定数項の値を対応付けるテーブルの一例を示す図である。
【００３３】
図３に示すように、制御部１０は、プログラムを読み込んで処理を実行することによって、ＰＩＤ制御部１１、確認部１２、算出部１３および更新部１４として機能する。
【００３４】
ＰＩＤ制御部１１は、温度センサー８５の検出温度および目標温度の偏差（差分）に応じた、ヒーター点灯率のＰＩＤ制御を行う。ＰＩＤ制御部１１は、検出温度が目標温度未満である場合において偏差が大きいほど、ヒーター点灯率を上昇させ、検出温度が目標温度を超える場合において偏差が大きいほど、ヒーター点灯率を低下させる。本実施形態では、ＰＩＤ制御部１１は、以下の式（１）に応じた制御を行う。
【００３５】
【数１】
2020181001.tif 000003
【００３６】
ここで、ｅ（ｔ）は、時間の経過に伴い変化する検出温度および目標温度の偏差を示す。本実施形態に係る式（１）は、偏差ｅ（ｔ）と、各係数Ｋｐ、ＫｉおよびＫｄとに基づく比例項、積分項および微分項を含む通常のＰＩＤ制御の式と比較すると、画像形成装置１の動作条件に対応する値（比率）の定数項Ａをさらに含む点において特徴を有する。式（１）は、定数項Ａに加えて、少なくとも比例項または積分項を含んでいればよく、比例項、積分項および微分項の全てを含まなくてもよい。例えば、式（１）は、係数ＫｉおよびＫｄがゼロに設定されたＰ制御の式や、Ｋｄがゼロに設定されたＰＩ制御の式であってもよい。なお、本実施形態では、少なくとも比例項または積分項と、定数項Ａとを含む式（１）に応じた制御（例えば、Ｐ制御やＰＩ制御等も含む）を、まとめてＰＩＤ制御と称する。
【００３７】
動作条件は、画像形成装置１の動作（例えば、印刷中の動作）に影響する条件であり、例えば図４に示すような、印刷に使用する用紙の種類（紙種および坪量）に関する条件や、定着ニップを通過する用紙の有無（通紙の有無）に関する条件等を含む。用紙の種類に関する条件は、操作パネル４０を介して、給紙トレイ５１毎に収容された用紙の種類を設定するユーザーの操作に基づいて、設定される。また、用紙は、用紙間における画像の安定化処理の実行中において、定着ニップを通過しないように制御される。ただし、動作条件は図４に示す例に限定されず、例えば、紙種の分類はエンボス紙等をさらに含んでもよい。
【００３８】
上述したような定数項Ａの値は、例えば図４に示すように、動作条件毎に異なる値に設定される。定数項Ａの初期値は、シミュレーション等に基づいて算出された、各動作条件に応じた動作の実行中におけるヒーター８３１の平均点灯率（以下「ヒーター平均点灯率」と称する）の予測値であってもよい。また、図４に示す例では、画像の安定化処理の実行中に対応する定数項Ａの値が、坪量毎に区分化されているが、当該坪量は、画像の安定化処理の実行直前まで定着ニップを通過していた用紙の坪量に対応するものとする。ただし、画像の安定化処理の実行中に対応する定数項Ａの値は、図４に示す例に限定されず、例えば一種類の値に設定されてもよい。
【００３９】
ＰＩＤ制御部１１は、新たな動作条件に応じた動作の開始時において、例えば記憶部２０に予め記憶されている図４に示すようなテーブル２１を参照し、当該動作条件に対応する定数項Ａの値（比率）を取得する。そして、ＰＩＤ制御部１１は、取得した値を式（１）に含まれる定数項Ａの値として設定し、式（１）に応じた制御を行う。なお、「動作条件に応じた動作の開始」には、待機状態から動作条件に応じた動作を開始する場合だけでなく、ある動作条件に応じた動作を終了して他の動作条件に応じた動作を開始する場合（変更後の動作条件に応じた動作の開始）も含まれるものとする。すなわち、「動作条件に応じた動作の開始」には、待機状態から任意の種類の用紙に対する印刷を開始する場合だけでなく、ある種類の用紙に対する印刷を終了して、他の種類の用紙に対する印刷を続けて開始する場合も含まれる。
【００４０】
例えば、坪量６５ｇ／ｍ２（ｇｓｍ）の普通紙に対する印刷の開始時において、ＰＩＤ制御部１１は、テーブル２１を参照し、式（１）に含まれる定数項Ａの値を「５０％」に設定する。また、印刷中において、坪量６５ｇ／ｍ２の普通紙（薄紙）から坪量２００ｇ／ｍ２の普通紙（厚紙）に用紙の種類が切り替えられる際、ＰＩＤ制御部１１は、式（１）において「５０％」に設定されていた定数項Ａの値を、「６５％」に設定する。また、坪量６５ｇ／ｍ２の普通紙間において画像の安定化処理が開始される際、ＰＩＤ制御部１１は、式（１）において「５０％」に設定されていた定数項Ａの値を、「１０％」に設定する。ただし、動作条件および定数項Ａの値を対応付ける形態は、図４に例示するテーブル２１の形態に限定されない。
【００４１】
また、ＰＩＤ制御部１１は、式（１）に積分項が含まれる場合、新たな動作条件に応じた動作の開始時において、積分項における偏差の累積値をリセットする。これにより、ＰＩＤ制御部１１は、当該動作の開始直後（例えば、式（１）においてｔ＝０）におけるヒーター点灯率が、テーブル２１に含まれる定数項Ａの値のみに依存するように制御できる。例えば、テーブル２１に含まれる定数項Ａの値が、シミュレーション等に基づいて算出されたヒーター平均点灯率の予測値である場合、ＰＩＤ制御部１１は、当該動作の開始直後におけるヒーター点灯率が、自身の予測値に等しくなるように迅速に制御できる。したがって、ＰＩＤ制御部１１は、当該動作の開始直後から、検出温度および目標温度の偏差が小さくなるようにヒーター点灯率を制御でき、温度リップルの発生を抑止できる。
【００４２】
確認部１２は、各動作条件に応じた動作の実行中における所定の周期毎に、ＰＩＤ制御部１１によって制御されているヒーター点灯率を確認し、確認したヒーター点灯率に関する情報を記憶部２０に記憶させる。所定の周期は、０．１〜１秒程度（例えば０．２秒）であってもよいが、これに限定されない。
【００４３】
算出部１３は、記憶部２０において記憶されている、各動作条件に応じた動作の実行中において確認されたヒーター点灯率に関する情報に基づいて、当該動作の実行中におけるヒーター平均点灯率を算出する。算出部１３は、例えば、確認部１２によって確認されたヒーター点灯率の合計値を、確認された回数で除算することによって、ヒーター平均点灯率を算出する。
【００４４】
なお、ヒーター平均点灯率は、ヒーター８３１の点灯時間に基づいて算出されてもよい。より具体的には、確認部１２が、各動作条件に応じた動作の実行中におけるヒーター８３１の点灯時間を確認し、算出部１３が、ヒーター８３１の点灯時間の合計値を当該動作の実行時間で除算することによって、ヒーター平均点灯率を算出してもよい。
【００４５】
更新部１４は、直前に算出されたヒーター平均点灯率の値によって、テーブル２１に含まれる定数項Ａの値を更新する。更新部１４の更新処理の詳細については、図５を参照して後述する。
【００４６】
（処理）
続いて、本実施形態に係る画像形成装置１の処理の手順について説明する。
【００４７】
図５は、画像形成装置の処理の手順の一例を示すフローチャートである。図５のフローチャートに示すアルゴリズムは、記憶部２０にプログラムとして記憶されており、制御部１０によって実行される。
【００４８】
図５に示すように、まず、制御部１０は、ＰＩＤ制御部１１として、新たな動作条件に応じた動作の開始時において、記憶部２０に予め記憶されているテーブル２１を参照し、当該動作条件に対応する定数項Ａの値を取得する（ステップＳ１０１）。なお、式（１）に積分項が含まれる場合、制御部１０は、ステップＳ１０１の時点において、積分項における偏差の累積値のリセットも行う。そして、制御部１０は、ステップＳ１０１において取得した値を、式（１）に含まれる定数項Ａの値として設定し、式（１）に応じた制御を行う、新たな動作条件に応じた動作を開始する（ステップＳ１０２）。
【００４９】
続いて、制御部１０は、式（１）に応じた制御を行いながら、確認部１２として、所定の周期毎に実際のヒーター点灯率を確認し、確認したヒーター点灯率に関する情報を記憶部２０に記憶させる（ステップＳ１０３）。そして、制御部１０は、ステップＳ１０２において開始された、動作条件に応じた動作が終了したか否かを判断する（ステップＳ１０４）。なお、「動作条件に応じた動作の終了」には、動作条件に応じた動作を終了して待機状態に戻る場合だけでなく、ある動作条件に応じた動作を開始するために他の動作条件に応じた動作を終了する場合（変更前の動作条件に応じた動作の終了）も含まれるものとする。
【００５０】
ステップＳ１０２において開始された動作が終了していないと判断した場合（ステップＳ１０４：ＮＯ）、制御部１０は、当該動作が終了したと判断されるまで、ステップＳ１０３およびＳ１０４の処理を繰り返し実行する。すなわち、制御部１０は、所定の周期毎に確認したヒーター点灯率に関する情報を、記憶部２０に蓄積して記憶させることを繰り返す。そして、当該動作が終了したと判断した場合（ステップＳ１０４：ＹＥＳ）、制御部１０は、ステップＳ１０５の処理に進む。そして、制御部１０は、算出部１３として、記憶部２０において記憶されている、当該動作の実行中において確認されたヒーター点灯率に関する情報に基づいて、当該動作の実行中におけるヒーター平均点灯率を算出する（ステップＳ１０５）。すなわち、制御部１０は、動作条件に応じた動作の終了時において、当該動作の実行中におけるヒーター平均点灯率を算出する。
【００５１】
続いて、制御部１０は、更新部１４として、テーブル２１に含まれる、ステップＳ１０１において取得された定数項Ａの値を、ステップＳ１０５において算出されたヒーター平均点灯率の値によって更新する（ステップＳ１０６）。そして、制御部１０は処理を終了する。すなわち、制御部１０は、動作条件に応じた動作の終了時において、テーブル２１に含まれる当該動作条件に対応する定数項Ａの値を、当該動作の実行中におけるヒーター平均点灯率の値によって更新する。そして、制御部１０は、同じ動作条件に応じた動作を次回開始する際、今回更新した値を式（１）に含まれる定数項Ａの値として設定することになる。これにより、制御部１０は、当該動作を次回開始した直後におけるヒーター点灯率が、当該動作の今回の実行中における実際のヒーター平均点灯率に等しくなるように制御できる。したがって、制御部１０は、当該動作の次回の開始直後から、検出温度および目標温度の偏差がより小さくなるようにヒーター点灯率を制御でき、温度リップルの発生をより効果的に抑止できる。
【００５２】
（作用効果）
続いて、本実施形態に係る画像形成装置１の作用効果について説明する。図６Ａ〜図６Ｄは、画像形成装置の作用効果を説明するための図である。
【００５３】
画像形成装置１は、定数項Ａを含む式（１）に応じた制御を実行することによって、図６Ａに示すように、任意の種類の用紙に対する印刷の開始時において発生する温度リップルの大きさを、従来技術と比較して約半分以下に減少させることができる。また。画像形成装置１は、図６Ｂに示すように、薄紙から厚紙への用紙の種類の切り替え時における、目標温度の変更によって発生する温度リップルの大きさを、従来技術と比較して約半分以下に減少させることができる。逆に、画像形成装置１は、図６Ｃに示すように、厚紙から薄紙への用紙の種類の切り替え時において発生する温度リップルの大きさも、従来技術と比較して約半分以下に減少させることができる。さらに、画像形成装置１は、図６Ｄに示すように、用紙間における画像の安定化処理の実行時において発生する温度リップルの大きさを、従来技術と比較して約半分以下に減少させることができる。
【００５４】
以上のように、画像形成装置１は、検出温度および目標温度の偏差に応じたヒーター点灯率のＰＩＤ制御であって、比例項または積分項を少なくとも含んだ上で、自装置の動作条件に対応する値の定数項Ａをさらに含む式（１）に応じた制御を行う。そして、画像形成装置１は、当該動作条件に応じた動作の実行中におけるヒーター平均点灯率を算出し、ヒーター平均点灯率の値によって、当該動作条件に対応する定数項Ａの値を更新する。画像形成装置１は、ヒーター平均点灯率の値によって定数項Ａの値を更新するだけで、当該動作の開始直後におけるヒーター点灯率が、当該動作の実行中におけるヒーター平均点灯率に等しくなるように制御できる。これにより、画像形成装置１は、当該動作の開始直後から、検出温度および目標温度の偏差が小さくなるようにヒーター点灯率を制御でき、定着部８０における温度リップルの発生を容易に抑止できる。
【００５５】
また、画像形成装置１は、式（１）に積分項が含まれる場合、動作条件に応じた動作の開始時において、積分項における偏差の累積値をリセットする。これにより、画像形成装置１は、当該動作の開始直後におけるヒーター点灯率が、定数項Ａの値のみに依存するように制御でき、当該動作の開始直後におけるヒーター点灯率を、より容易に制御できる。
【００５６】
また、動作条件は、搬送される用紙の紙種および坪量に関する条件を含む。これにより、画像形成装置１は、搬送する用紙の紙種および坪量毎に異なる値の定数項Ａを含む式（１）に応じた、ヒーター点灯率の制御を行うことができる。したがって、画像形成装置１は、当該動作条件に応じた動作の開始直後から、搬送する用紙の紙種および坪量毎に最適なヒーター点灯率を設定できる。
【００５７】
また、画像形成装置１は、動作条件および定数項Ａの値を対応付けるテーブル２１を記憶し、動作条件に応じた動作の開始時においてテーブル２１を参照し、当該動作条件に対応する定数項Ａの値を取得する。これにより、画像形成装置１は、動作条件毎に異なる複数の定数項Ａの値を、テーブル２１において容易に管理できる。
【００５８】
また、画像形成装置１は、動作条件に応じた動作の終了時において、当該動作の実行中におけるヒーター平均点灯率を算出し、算出したヒーター平均点灯率の値によって、テーブル２１に含まれる定数項Ａの値を更新する。これにより、画像形成装置１は、同じ動作条件に応じた動作を次回開始する際、今回更新した値を式（１）に含まれる定数項Ａの値として設定できる。そして、画像形成装置１は、当該動作を次回開始した直後におけるヒーター点灯率が、当該動作の今回の実行中における実際のヒーター平均点灯率に等しくなるように制御できる。したがって、画像形成装置１は、当該動作の次回の開始直後から、検出温度および目標温度の偏差がより小さくなるようにヒーター点灯率を制御でき、温度リップルの発生をより効果的に抑止できる。
【００５９】
なお、本発明は、上述した実施形態に限定されず、特許請求の範囲内において、種々の変更や改良等がなされ得る。
【００６０】
（変形例１）
上述した実施形態では、所定の周期毎に確認されたヒーター点灯率に関する情報が、記憶部２０に記憶される場合を例に挙げて説明したが、ヒーター点灯率に関する情報は、所定の条件に基づいて記憶されてもよい。
【００６１】
図７は、画像形成装置の処理の手順の他の例を示すフローチャートである。
【００６２】
図７に示すステップＳ２０１およびＳ２０２以外の処理は、図５に示す処理と同様であるため、説明を省略する。変形例１に係る制御部１０は、プログラムを読み込んで処理を実行することによって、所定の判断を行う判断部としても機能する。
【００６３】
図７に示すように、制御部１０は、判断部として、温度センサー８５の検出温度の現在の変動幅を確認し（ステップＳ２０１）、検出温度の変動幅が第１の閾値以下であるか否かを判断する（ステップＳ２０２）。第１の閾値は、数℃程度（例えば２℃）であってもよい。
【００６４】
検出温度の変動幅が第１の閾値を超えると判断した場合（ステップＳ２０２：ＮＯ）、制御部１０は、検出温度の変動幅が第１の閾値以下になるまで、ステップＳ２０１およびＳ２０２の処理を繰り返し実行する。そして、検出温度の変動幅が第１の閾値以下であると判断した場合（ステップＳ２０２：ＹＥＳ）、制御部１０は、ステップＳ１０３の処理に進む。これにより、画像形成装置１は、検出温度の変動幅が第１の閾値を超える期間におけるヒーター点灯率に関する情報を、記憶部２０に記憶させないで済む。したがって、画像形成装置１は、検出温度の変動幅が第１の閾値以下である期間、すなわち、検出温度が目標温度付近に落ち着いた後の期間におけるヒーター点灯率のみに基づいて、ヒーター平均点灯率を正確に算出できる。
【００６５】
（変形例２）
変形例１では、検出温度の変動幅が第１の閾値以下であるか否かが判断される場合を例に挙げて説明したが、検出温度の変動幅の代わりに、ヒーター点灯率の変動幅に関する判断が行われてもよい。
【００６６】
より具体的には、変形例２に係る制御部１０は、図７に示すステップＳ２０１において、検出温度の変動幅を確認する代わりに、ＰＩＤ制御部１１によって制御されているヒーター点灯率の変動幅を確認してもよい。そして、制御部１０は、ステップＳ２０２において、検出温度の変動幅が第１の閾値以下であるか否かを判断する代わりに、ヒーター点灯率の変動幅が第２の閾値以下であるか否かを判断してもよい。第２の閾値は、数％程度（例えば７％）であってもよい。これにより、画像形成装置１は、検出温度の変動幅に対応するヒーター点灯率の変動幅に基づいて、変形例１に係る処理と同様の処理を実行できる。したがって、画像形成装置１は、ヒーター点灯率の変動幅が第２の閾値以下である期間、すなわち、変動が落ち着いた後の期間におけるヒーター点灯率のみに基づいて、ヒーター平均点灯率を正確に算出できる。
【００６７】
（変形例３）
上述した実施形態では、ヒーター平均点灯率が算出される度に、テーブル２１に含まれる定数項Ａの値がヒーター平均点灯率の値によって更新される場合を例に挙げて説明したが、定数項Ａの値は、所定の条件が満たされる場合のみ更新されてもよい。
【００６８】
図８は、画像形成装置の処理の手順のさらに他の例を示すフローチャートである。
【００６９】
図８に示すステップＳ３０１以外の処理は、図５に示す処理と同様であるため、説明を省略する。変形例３に係る制御部１０は、変形例１に係る制御部１０と同様に、プログラムを読み込んで処理を実行することによって、所定の判断を行う判断部としても機能する。
【００７０】
図８に示すように、制御部１０は、判断部として、ステップＳ１０５において算出されたヒーター平均点灯率が、所定の範囲内に含まれるか否かを判断する（ステップＳ３０１）。所定の範囲は、例えば、テーブル２１に含まれる、ステップＳ１０４において終了したと判断された動作条件に対応する定数項Ａの値を中央値として、±１５％程度の範囲であってもよい。そして、ヒーター平均点灯率が所定の範囲内に含まれると判断した場合（ステップＳ３０１：ＹＥＳ）、制御部１０は、ステップＳ１０６の処理に進む。一方、ヒーター平均点灯率が所定の範囲内に含まれないと判断した場合（ステップＳ３０１：ＮＯ）、制御部１０は、そのまま処理を終了する。これにより、画像形成装置１は、所定の範囲内に含まれないヒーター平均点灯率の異常値等によって、テーブル２１に含まれる定数項Ａの値を誤って更新しないで済む。より具体的には、画像形成装置１は、例えば、給紙トレイに誤って収容された用紙の種類を、テーブル２１に含まれる定数項Ａの値に誤って対応させてしまい、テーブル２１に含まれる定数項Ａの値を誤って更新することを回避できる。あるいは、画像形成装置１は、突発的に発生した自装置の異常状態等がもたらすヒーター平均点灯率の異常値に基づいて、テーブル２１に含まれる定数項Ａの値を誤って更新することも回避できる。なお、変形例３は、変形例１または変形例２と組み合わせて用いられてもよい。
【００７１】
（変形例４）
上述した実施形態では、式（１）に応じた制御が行われる場合を例に挙げて説明したが、他の式に応じた制御が行われてもよい。
【００７２】
変形例４に係る制御部１０は、上述した実施形態に係る式（１）の代わりに、ステップＳ１０２において、以下の式（２）に応じた制御を行う。
【００７３】
【数２】
2020181001.tif 000004
【００７４】
変形例４に係る式（２）は、上述した実施形態に係る式（１）と比較すると、係数ｋによって補正された値の定数項（定数項ｋＡ）を含む点において特徴を有する。係数ｋは、例えば、画像形成装置１の環境条件に基づく係数ｋ１と、定着部８０のウォームアップ条件に基づく係数ｋ２と、以下の式（３）とに基づいて算出される。ただし、係数ｋの算出方法は、式（３）に示す例に限定されない。
【００７５】
【数３】
2020181001.tif 000005
【００７６】
ここで、係数ｋ１は、例えば、画像形成装置１が設置された環境の温度（機内温度または機外温度）に関する係数であってもよい。この場合において、温度が１５℃未満であるとき、係数ｋ１が１．１に設定され、温度が１５℃以上２５℃未満であるとき、係数ｋ１が１．０に設定され、温度が２５℃以上であるとき、係数ｋ１が０．９に設定されてもよい。また、係数ｋ２は、例えば、定着部８０のウォームアップが開始されてからの経過時間に関する係数であってもよい。この場合において、経過時間が５分以内であるとき、係数ｋ２が１．２に設定され、経過時間が５分を超えて、かつ１０分以内であるとき、係数ｋ２が１．１に設定され、経過時間が１０分を超えるとき、係数ｋ２が１．０に設定されてもよい。そして、例えば、環境の温度が１５℃未満であり、ウォームアップが開始されてからの経過時間が５分以内である場合、式（３）に基づいて、ｋが１．３２に設定されてもよい。このように、画像形成装置１は、設置された環境の温度が低いほど、さらに定着部８０のウォームアップが開始されてからの経過時間が短いほど、定数項ｋＡの値を大きく設定でき、ヒーター点灯率を高く設定できる。これにより、画像形成装置１は、自装置の環境条件や定着部８０のウォームアップ条件も考慮して、ヒーター点灯率を制御でき、温度リップルの発生をより効果的に抑止できる。
【００７７】
また、変形例４に係る制御部１０は、ステップＳ１０６において、テーブル２１に含まれる定数項Ａの値を更新する際、ヒーター平均点灯率の値を設定されている係数ｋの値で除算して得られる値によって、定数項Ａの値を更新してもよい。これにより、画像形成装置１は、自装置の環境条件や定着部８０のウォームアップ条件に影響されない、正規化されたヒーター平均点灯率の値によって、定数項Ａの値を更新できる。なお、変形例４は、変形例１または変形例２、および変形例３と組み合わせて用いられてもよい。
【００７８】
その他、上述した実施形態では、定着部８０において、ヒーター８３１を内部に備える加熱ローラー８３および定着ベルト８４が、定着ローラー８１側に設けられる場合を例に挙げて説明したが、定着部８０の構成は上述した例に限定されない。例えば、定着ローラー８１の内部にヒーターが設けられ、加熱ローラー８３および定着ベルト８４が省略されてもよい。あるいは、定着部８０は、定着ローラー８１側に定着ベルト８４が設けられる上ベルト定着方式に代えて、加圧ローラー８２側に定着ベルトが設けられる下ベルト定着方式や、定着ローラー８１側および加圧ローラー８２側の両方にそれぞれ定着ベルトが設けられる上下ベルト定着方式を実現する構成を備えてもよい。
【００７９】
また、上述した実施形態では、印刷中における動作条件に対応する定数項Ａの値が設定される場合を例に挙げて説明したが、他の動作条件に対応する定数項Ａの値がさらに設定されてもよい。例えば、定着部８０のウォームアップ中に対応する定数項Ａの値や、画像形成装置１の待機中に対応する定数項Ａの値等が、さらに設定されてもよい。
【００８０】
また、上述した実施形態では、画像形成装置１を一つの装置として説明したが、画像形成装置１について、例えば、各種の判断処理を実行する情報処理装置と、画像形成処理を実行する装置とが、別々に構成され、バスを介して接続されてもよい。
【００８１】
また、上述した実施形態に係る処理は、上述したステップ以外のステップを含んでもよいし、上述したステップのうちの一部のステップを含まなくてもよい。また、ステップの順序は、上述した実施形態に限定されない。さらに、各ステップは、他のステップと組み合わされて一つのステップとして実行されてもよく、他のステップに含まれて実行されてもよく、複数のステップに分割されて実行されてもよく、他のステップと同時に実行されてもよい。
【００８２】
また、上述した実施形態に係る画像形成装置１における各種処理を行う手段および方法は、専用のハードウエア回路、およびプログラムされたコンピューターのいずれによっても実現され得る。上述したプログラムは、例えば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され、記憶される。また、上述したプログラムは、単独のアプリケーションソフトとして提供されてもよいし、画像形成装置１の一機能としてそのソフトウェアに組み込まれてもよい。
【符号の説明】
【００８３】
１      画像形成装置、
１０    制御部、
１１    ＰＩＤ制御部、
１２    確認部、
１３    算出部、
１４    更新部、
２０    記憶部、
３０    通信部、
４０    操作パネル、
５０    給紙部、
６０    搬送部、
７０    画像形成部、
８０    定着部、
８１    定着ローラー、
８２    加圧ローラー、
８３    加熱ローラー、
８３１  ヒーター（加熱部材）、
８４    定着ベルト、
８５    温度センサー（検出部）。
【図１】
2020181001.tif 000006
【図２】
2020181001.tif 000007
【図３】
2020181001.tif 000008
【図４】
2020181001.tif 000009
【図５】
2020181001.tif 000010
【図６Ａ】
2020181001.tif 000011
【図６Ｂ】
2020181001.tif 000012
【図６Ｃ】
2020181001.tif 000013
【図６Ｄ】
2020181001.tif 000014
【図７】
2020181001.tif 000015
【図８】
2020181001.tif 000016